(57)【特許請求の範囲】
【請求項１】
少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を伝送するステップと、
前記第１の係数に基づいて前記マルチチャネル信号をダウンミックスして前記第１、第２のオーディオ信号の両方を含むステレオ２チャネル信号を生成するモード又はタイトルと、前記第２の係数に基づいて前記マルチチャネル信号をダウンミックスして前記第１のオーディオ信号を含み、前記第２のオーディオ信号を含まないステレオ２チャネル信号を生成するモード又はタイトルの１つを選択するステップと、
前記選択されたモード又はタイトルでマルチチャネル信号をステレオ２チャネル信号にダウンミックスするステップとを、
有するオーディオ信号の伝送方法。
【請求項２】
少なくとも２チャネルの第１のオーディオ信号と少なくとも１チャネルの第２のオーディオ信号を含むマルチチャネル信号と、
前記マルチチャネル信号をステレオ２チャネルにダウンミックスして前記第１、第２のオーディオ信号の両方を再生するための第１の係数と、
前記マルチチャネル信号をステレオ２チャネルにダウンミックスして前記第１のオーディオ信号を再生して前記第２のオーディオ信号を再生しないための第２の係数とを、
有するデータ構造が記録されたオーディオディスク。
【請求項３】
音楽ソースを少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を有するデータ構造にフォーマット化する手段を、
有するエンコード装置。
【請求項４】
少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を有するデータ構造をデコードするデコード装置であって、
前記第１の係数に基づいて前記マルチチャネル信号をダウンミックスして前記第１、第２のオーディオ信号の両方を含むステレオ２チャネル信号を生成するモード又はタイトルと、前記第２の係数に基づいて前記マルチチャネル信号をダウンミックスして前記第１のオーディオ信号を含み、前記第２のオーディオ信号を含まないステレオ２チャネル信号を生成するモード又はタイトルの１つを選択する手段と、
前記選択されたモード又はタイトルでマルチチャネル信号をステレオ２チャネル信号にダウンミックスする手段とを、
有するデコード装置。
【請求項５】
前記第１のオーディオ信号は伴奏音楽であり、前記第２のオーディオ信号はボーカル音楽であることを特徴とする請求項１記載のオーディオ信号の伝送方法。
【請求項６】
前記第１のオーディオ信号は伴奏音楽であり、前記第２のオーディオ信号はボーカル音楽であることを特徴とする請求項２記載のオーディオディスク。
【請求項７】
前記第１のオーディオ信号は伴奏音楽であり、前記第２のオーディオ信号はボーカル音楽であることを特徴とする請求項３記載のエンコード装置。
【請求項８】
前記第１のオーディオ信号は伴奏音楽であり、前記第２のオーディオ信号はボーカル音楽であることを特徴とする請求項４記載のデコード装置。
【請求項９】
請求項１又は５記載のオーディオ信号の伝送方法において、
前記マルチチャネル信号をミックスして前記第１のオーディオ信号を含み、前記第２のオーディオ信号を含まないマルチチャネル信号を生成するための第３の係数を伝送するステップと、
前記第３の係数に基づいて前記マルチチャネル信号をミックスするステップとを、
更に有することを特徴とするオーディオ信号の伝送方法。
【請求項１０】
請求項２又は６記載のオーディオディスクにおいて、
前記データ構造はさらに、前記マルチチャネル信号をミックスして前記第１のオーディオ信号を含み、前記第２のオーディオ信号を含まないマルチチャネル信号を生成するための第３の係数を有することを特徴とするオーディオディスク。
【請求項１１】
請求項３又は７記載のエンコード装置において、
前記フォーマット化手段は、前記マルチチャネル信号をミックスして前記第１のオーディオ信号を含み、前記第２のオーディオ信号を含まないマルチチャネル信号を生成するための第３の係数をフォーマット化することを特徴とするエンコード装置。
【請求項１２】
請求項４又は８記載のデコード装置において、
前記データ構造はさらに、前記マルチチャネル信号をミックスして前記第１のオーディオ信号を含み、前記第２のオーディオ信号を含まないマルチチャネル信号を生成するための第３の係数を有し、
前記第３の係数に基づいて前記マルチチャネル信号をミックスする手段を更に有することを特徴とするデコード装置。
【発明の詳細な説明】
【０００１】
【発明の属する技術分野】
本発明は、マルチチャネルを２チャネルにダウンミックス（ミックスダウンともいう）して再生するためのオーディオ信号の伝送方法、オーディオディスク、エンコード装置及びデコード装置に関し、例えばカラオケシステムに好適なオーディオ信号の伝送方法、オーディオディスク、エンコード装置及びデコード装置に関する。
【０００２】
【従来の技術】
一般に、ＣＤなどの記録媒体には音楽ソースが２チャネルのオーディオデータで記録されるが、マルチチャネルに記録してもよく、この場合には２チャネルに比べてマルチチャネルのデータ量が膨大になるので、演奏時間（記録時間）が減少する。そこで、ＣＤより記録容量が大きいＤＶＤビデオにマルチチャネルデータを記録すれば演奏時間（記録時間）が長くなるので、長時間の音楽ソースを記録することができ、したがって、例えばカラオケシステムにおける楽曲データを記録する場合に好適である。
【０００３】
従来、カラオケ用楽曲データをマルチチャネルで媒体を介して伝送する方法としては、例えば特開平９−４６７９９号公報（特許番号第２７６６４６６号）に示されるように、一般的なサラウンドシステムをカラオケなどの特殊用途に用いるために、音楽ソースの主チャネル及び従チャネルを含むマルチチャネル信号とともに、その音楽ソースが通常のマルチチャネルモードであるか、又はカラオケなどの特殊用途モードであるかを再生装置に伝送する方法が提案されている。また、この方法では音楽ソースがドルビーＡＣ−３方式で圧縮されて伝送される。
【０００４】
そして、この方法では、デコーダ側はサラウンド用ミキシング係数発生器と特殊用途（カラオケ）用ミキシング係数発生器を備え、伝送データからマルチチャネルモードを検出した場合には主チャネル及び従チャネルの両方が出力されるように、そのままマルチチャネルで出力したり、主チャネル及び従チャネルに対して所定のサラウンド用ミキシング係数を乗算して２チャネルにダウンミックスして出力し、他方、特殊用途モードの場合には、例えば伴奏チャネルのみを再生してボーカルチャネルを再生しないように、主チャネル及び従チャネルに対して所定の特殊用途用ミキシング係数を乗算してマルチチャネル又はダウンミックス２チャネルで出力する。
【０００５】
【発明が解決しようとする課題】
しかしながら、上記従来の方法では、デコーダ側が特殊用途モードを検出した場合に特殊用途用ミキシング係数発生器の係数を各チャネルに乗算するので、ユーザの所望のミキシング具合で再生することができず、また、ユーザが係数を変更可能にすると、このミキシング操作が熟練度を要するので操作が面倒となるという問題点がある。また、ユーザにとって伴奏とボーカルを含む通常の音楽ソースから伴奏のみを再生し、ボーカルを再生しないようにしてカラオケとして再生することができない。
【０００６】
また、上記従来の方法では、一般的なサラウンドシステムをカラオケなどの特殊用途に用いるために、その音楽ソースが通常のマルチチャネルモードであるか、又はカラオケなどの特殊用途モードであるかを示す情報を伝送するので、その音楽ソースがマルチチャネルモードか又は特殊用途モードかがあらかじめソース提供者により決められており、したがって、ユーザにとって自由度がない。また、上記従来例では、再生装置が通常のマルチチャネルモードであるか、又はカラオケなどの特殊用途モードであるかを検出しなければならないので、この検出機能を持たない再生装置は特殊用途モードで再生することができない。さらに、上記従来例では、音楽ソースをドルビーＡＣ−３方式で圧縮して伝送するので音質が悪い。
【０００７】
本発明は上記従来例の問題点に鑑み、マルチチャネルを２チャネルにダウンミックスして再生する場合にユーザにとって使い勝手が良いオーディオ信号の伝送方法、オーディオディスク、エンコード装置及びデコード装置を提供することを目的とする。
【０００８】
【課題を解決するための手段】
本発明は上記目的を達成するために、例えば伴奏音楽などの第１のオーディオ信号とボーカル音楽などの第２のオーディオ信号を含むマルチチャネル信号をステレオ２チャネルにダウンミックスするための最適な係数を記録媒体や通信媒体を介して伝送するようにしたものである。
【０００９】
すなわち本発明によれば、少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を伝送するステップと、
前記第１の係数に基づいて前記マルチチャネル信号をダウンミックスして前記第１、第２のオーディオ信号の両方を含むステレオ２チャネル信号を生成するモード又はタイトルと、前記第２の係数に基づいて前記マルチチャネル信号をダウンミックスして前記第１のオーディオ信号を含み、前記第２のオーディオ信号を含まないステレオ２チャネル信号を生成するモード又はタイトルの１つを選択するステップと、
前記選択されたモード又はタイトルでマルチチャネル信号をステレオ２チャネル信号にダウンミックスするステップとを、
有するオーディオ信号の伝送方法が提供される。
【００１０】
また本発明によれば、少なくとも２チャネルの第１のオーディオ信号と少なくとも１チャネルの第２のオーディオ信号を含むマルチチャネル信号と、
前記マルチチャネル信号をステレオ２チャネルにダウンミックスして前記第１、第２のオーディオ信号の両方を再生するための第１の係数と、
前記マルチチャネル信号をステレオ２チャネルにダウンミックスして前記第１のオーディオ信号を再生して前記第２のオーディオ信号を再生しないための第２の係数とを、
有するデータ構造が記録されたオーディオディスクが提供される。
【００１１】
また本発明によれば、音楽ソースを少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を有するデータ構造にフォーマット化する手段を、
有するエンコード装置が提供される。
【００１２】
また本発明によれば、少なくとも２チャネルの第１のオーディオ信号と少なくとも１チャネルの第２のオーディオ信号を含むマルチチャネル信号と、前記マルチチャネル信号をステレオ２チャネルにダウンミックスして前記第１、第２のオーディオ信号の両方を再生するための第１の係数と、前記マルチチャネル信号をステレオ２チャネルにダウンミックスして前記第１のオーディオ信号を再生して前記第２のオーディオ信号を再生しないための第２の係数を有するデータ構造をデコードするデコード装置であって、
前記第１の係数に基づいて前記マルチチャネル信号をダウンミックスして前記第１、第２のオーディオ信号の両方を含むステレオ２チャネル信号を生成するモード又はタイトルと、前記第２の係数に基づいて前記マルチチャネル信号をダウンミックスして前記第１のオーディオ信号を含み、前記第２のオーディオ信号を含まないステレオ２チャネル信号を生成するモード又はタイトルの１つを選択する手段と、
前記選択されたモード又はタイトルでマルチチャネル信号をステレオ２チャネル信号にダウンミックスする手段とを、
有するデコード装置が提供される。
【００１３】
【発明の実施の形態】
以下、図面を参照して本発明の実施の形態を説明する。
図１は一例としてＤＶＤオーディオディスクの基本フォーマットを示している。この基本フォーマットはＡＴＳ（オーディオ・タイトルセット）を有し、このＡＴＳは、先頭から順に
・ＡＴＳＩ（ＡＴＳインフォメーション）と、
・図２〜図６に詳しく示すオーディオ・オンリ・タイトル用のオーディオ・オブジェクト・セット（ＡＯＴＴ−ＡＯＢＳ）と
・バックアップ用のＡＴＳＩにより構成されている。
【００１４】
ＡＴＳＩは先頭から順に
・図７〜図１１に詳しく示すＡＴＳＩ−ＭＡＴ（ＡＴＳＩマネージメント・テーブル）と
・図１２〜図２４に詳しく示すＡＴＳ−ＰＧＣＩＴ（ＡＴＳプログラム・チェーン・インフォメーション・テーブル）により構成されている。
【００１５】
ＡＯＴＴ−ＡＯＢＳは図２に詳しく示すように、複数のオーディオ・オンリ・タイトル用のオーディオ・オブジェクト（ＡＯＴＴ−ＡＯＢ）により構成されている。ＡＯＴＴ−ＡＯＢの各々は複数のプログラム（ＰＧ）により構成され、プログラムの各々は複数のセル（ＡＴＳ−Ｃ）により構成されている。ＡＯＴＴ−ＡＯＢは、オーディオデータのみを含むものと、オーディオデータ及びリアル・タイム・インフォメーション・データ（ＲＴＩデータ）を含むものと、オーディオデータ、スチル・ピクチャ・データ（ＳＰＣＴデータ）及びＲＴＩデータを含むものの３種類のＡＯＴＴ−ＡＯＢにより構成されている。そして、１枚のディスク中や１曲中に１種類以上のＡＯＴＴ−ＡＯＢが配置される。
【００１６】
オーディオデータのみを含む第１のＡＯＴＴ−ＡＯＢの各プログラムは複数のオーディオセル（ＡＴＳ−Ｃ）により構成され、このオーディオセルは複数のオーディオパックのみにより構成されている。オーディオデータ及びＲＴＩデータを含む第２のＡＯＴＴ−ＡＯＢの各プログラムは複数のオーディオセル（ＡＴＳ−Ｃ）により構成され、このオーディオセルは２番目のパック位置に配置されたＲＴＩパックと、他のパック位置に配置されたオーディオパックにより構成されている。
【００１７】
また、オーディオデータ、ＳＰＣＴデータ及びＲＴＩデータを含む第３のＡＯＴＴ−ＡＯＢの各プログラムは先頭から順にピクチャセルと、サイレントセルとオーディオセルにより構成されている。そして、ピクチャセルは複数のＳＰＣＴパックのみにより構成され、サイレントセルは複数のオーディオパック（無音）のみにより構成され、このオーディオセルは２番目のパック位置に配置されたＲＴＩパックと、他のパック位置に配置されたオーディオパックにより構成されている。
【００１８】
リニアＰＣＭのＡパックは２０４８バイト以下で構成され、その内訳は図３に示すように１４バイトのパックヘッダとＡパケットにより構成されている。Ａパケットは１７、９又は１４バイトのパケットヘッダと、図４に詳しく示すプライベートヘッダと、１ないし２０１１バイトのオーディオデータ（リニアＰＣＭ）により構成されている。
【００１９】
プライベートヘッダは、図４に示すように
・８ビットのサブストリームＩＤと、
・３ビットの保留領域と、
・５ビットのＵＰＣ／ＥＡＮ−ＩＳＲＣ（Ｕｎｉｖｅｒｓａｌ  Ｐｒｏｄｕｃｔ  Ｃｏｄｅ／Ｅｕｒｏｐｅａｎ  Ａｒｔｉｃｌｅ  Ｎｕｍｂｅｒ−Ｉｎｔｅｒｎａｔｉｏｎａｌ  Ｓｔａｎｄａｒｄ  Ｒｅｃｏｒｄｉｎｇ  Ｃｏｄｅ）番号と、
・８ビットのＵＰＣ／ＥＡＮ−ＩＳＲＣデータと、
・８ビットのプライベートヘッダ長と、
・１６ビットの第１アクセスユニットポインタと、
・８バイトのオーディオデータインフォメーション（ＡＤＩ）と
・０〜８バイトのスタッフィングバイト
により構成されている。
【００２０】
ＡＤＩは
・１ビットのオーディオ・エンファシス・フラグと、
・１ビットの保留領域と、
・１ビットのダウンミックスモードと、
・１ビットのダウンミックスコード有効性と、
・４ビットのダウンミックスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャネルタイプと、
・３ビットのチャネルグループ「２」のビットシフトデータ（図６参照）と、
・５ビットのチャネル割り当て情報（図１２参照）と、
・８ビットのダイナミックレンジ制御情報と、
・８×２ビットの保留領域
により構成されている。
【００２１】
次に図５を参照してＲＴＩパックの構成を詳しく説明する。このパックは１４バイトのパックヘッダとＲＴＩパケットにより構成され、ＲＴＩパケットは１７又は１４バイトのパケットヘッダと、ＲＴＩプライベートヘッダと、１ないし２０１５バイトのＲＴＩデータにより構成されている。ＲＴＩデータはオーディオデータに関する文字情報や再生制御情報である。
【００２２】
ＲＴＩパケットのプライベートヘッダは、
・１バイトのサブストリームＩＤと、
・２バイトのＵＰＣ／ＥＡＮ−ＩＳＲＣ番号及びデータ（図ではこれらを単にＩＳＲＣと表記）と、
・１バイトのプライベートヘッダ長と、
・１バイトのＲＴＩ情報ＩＤと、
・０〜７バイトのスタッフィングバイト
により構成されている。
上記ＵＰＣ／ＥＡＮ−ＩＳＲＣ番号及びデータは、ＳＰＣＴパックに収められるスチルピクチャの著作権に関するＵＰＣ／ＥＡＮ−ＩＳＲＣ番号及びデータである。
【００２３】
ＳＰＣＴパックは図６に詳しく示すように、１４バイトのパックヘッダとＳＰＣＴパケットにより構成され、ＳＰＣＴパケットは２２又は１９又は９バイトのパケットヘッダと２０２５バイト以下のＳＰＣＴ（スチル・ピクチャ）データにより構成されている。ここで、１枚の静止画はＭＰＥＧ１又はＭＰＥＧ２方式で圧縮されてＩピクチャとイントラ・コーデッド・ピクチャにより構成され、１つのピクチャセル内で分割されてＳＰＣＴパックのＳＰＣＴデータとして配置される。
ＳＰＣＴパックのパケットヘッダ内に、ＲＴＩパックで説明したようにスチルピクチャの著作権に関するＵＰＣ／ＥＡＮ−ＩＳＲＣ番号及びデータを含めてもよい。
【００２４】
図１に示したＡＴＳＩ−ＭＡＴは、図７に詳しく示すように２０４８バイト（リラティブ・バイト・ポジションＲＢＰ０〜２０４７）で構成され、先頭から順に
・１２バイト（ＲＢＰ０〜１１）のＡＴＳ識別子（ＡＴＳ−ＩＤ）と、
・４バイト（ＲＢＰ１２〜１５）のＡＴＳのエンドアドレス（ＡＴＳ−ＥＡ）と、
・１２バイト（ＲＢＰ１６〜２７）の保留領域と、
・４バイト（ＲＢＰ２８〜３１）のＡＴＳＩのエンドアドレス（ＡＴＳＩ−ＥＡ）と、
・２バイト（ＲＢＰ３２〜３３）のバージョン番号（ＶＥＲＮ）と、
・９４バイト（ＲＢＰ３４〜１２７）の保留領域と、
・４バイト（ＲＢＰ１２８〜１３１）のＡＴＳＩ−ＭＡＴのエンドアドレスと、
・６０バイト（ＲＢＰ１３２〜１９１）の保留領域と、
・４バイト（ＲＢＰ１９２〜１９５）のＡＯＴＴ用のＶＴＳのスタートアドレスと、
・４バイト（ＲＢＰ１９６〜１９９）のＡＯＴＴ用のＡＯＢＳのスタートアドレス又はＡＯＴＴ用のＶＯＢＳのスタートアドレスと、
・４バイト（ＲＢＰ２００〜２０３）の保留領域と、
・４バイト（ＲＢＰ２０４〜２０７）のＡＴＳ−ＰＧＣＩＴのスタートアドレスと、
・４８バイト（ＲＢＰ２０８〜２５５）の保留領域と、
・１２８（１６×８）バイト（ＲＢＰ２５６〜３８３）のＡＯＴＴ用のＡＯＢのアトリビュート（ＡＯＴＴ−ＡＯＢ−ＡＴＲ）又はＡＯＴＴ用のＶＯＢのオーディオストリームのアトリビュート（ＡＯＴＴ−ＶＯＢ−ＡＳＴ−ＡＴＲ）と、
・２８８（１８×８）バイト（ＲＢＰ３８４〜６７１）の、マルチチャネルオーディオデータを２チャネルにダウンミックスするための係数（ＡＴＳ−ＤＭ−ＣＯＥＦＴ＃０〜＃１５）と、
・３２バイト（ＲＢＰ６７２〜７０３）の保留領域と、
・２バイト（ＲＢＰ７０４〜７０５）の、ＡＯＴＴ用のＡＯＢＳにおけるスチルピクチャデータのアトリビュート（ＡＴＳ−ＳＰＣＴ−ＡＴＲ）と、
・１３４２バイト（ＲＢＰ７０６〜２０４７）の保留領域により構成されている。
【００２５】
１２８（１６×８）バイト（ＲＢＰ２５６〜３８３）のエリアには、このＡＴＳがＡＯＴＴ用のＡＯＢＳを有する場合には、図８に詳しく示すＡＯＴＴ−ＡＯＢ−ＡＴＲが記述される。このＡＯＴＴ−ＡＯＢ−ＡＴＲ（ｂ１２７〜ｂ０）は、ＭＳＢ側から順に
・８ビット（ｂ１２７〜ｂ１２０）のオーディオ符号化モードと、
・８ビット（ｂ１１９〜ｂ１１２）の保留領域と、
・４ビット（ｂ１１１〜ｂ１０８）のチャネルグループ「１」の量子化ビット数Ｑ１と、
・４ビット（ｂ１０７〜ｂ１０４）のチャネルグループ「２」の量子化ビット数Ｑ２と、
・４ビット（ｂ１０３〜ｂ１００）のチャネルグループ「１」のサンプリング周波数ｆｓ１と、
・４ビット（ｂ９９〜ｂ９６）のチャネルグループ「２」のサンプリング周波数ｆｓ２と、
・３ビット（ｂ９５〜ｂ９３）のマルチチャネル構造のタイプと、
・５ビット（ｂ９２〜ｂ８８）のチャネル割り当てと、
・８ビット×１１（ｂ８７〜ｂ０）の保留領域により構成されている。
【００２６】
これに対し、このＡＴＳがＡＯＴＴ用のＡＯＢＳを有しない場合には、図９に示すＡＯＴＴ−ＶＯＢ−ＡＳＴ−ＡＴＲが記述される。このＡＯＴＴ−ＶＯＢ−ＡＳＴ−ＡＴＲ（ｂ１２７〜ｂ０）は、ＭＳＢ側から順に
・８ビット（ｂ１２７〜ｂ１２０）のオーディオ符号化モードと、
・８ビット（ｂ１１９〜ｂ１１２）の保留領域と、
・４ビット（ｂ１１１〜ｂ１０８）の量子化ビット数Ｑと、
・４ビット（ｂ１０７〜ｂ１０４）の保留領域と、
・４ビット（ｂ１０３〜ｂ１００）のサンプリング周波数ｆｓと、
・４ビット（ｂ９９〜ｂ９６）の保留領域と、
・３ビット（ｂ９５〜ｂ９３）のマルチチャネル構造のタイプと、
・５ビット（ｂ９２〜ｂ８８）のチャネル割り当てと、
・３ビット（ｂ８７〜ｂ８５）のデコーディング・オーディオ・ストリーム数と、
・５ビット（ｂ８４〜ｂ８０）の保留領域と、
・２ビット（ｂ７９、ｂ７８）のＭＰＥＧオーディオ用ＤＲＣと、
・２ビット（ｂ７７、ｂ７６）の保留領域と、
・４ビット（ｂ７５〜ｂ７２）の圧縮オーディオチャネル数と、
・８ビット×９（ｂ７１〜ｂ０）の保留領域により構成されている。
【００２７】
上記データを以下に詳しく示す。
（１）オーディオ符号化モード（ｂ１２７〜ｂ１２０）
００００００００ｂ：リニアＰＣＭモード
０００００００１ｂ：圧縮オーディオ（ドルビーデジタル）用に保留
００００００１０ｂ：圧縮オーディオ（ＭＰＥＧ２拡張無し）用に保留
００００００１１ｂ：圧縮オーディオ（ＭＰＥＧ２拡張有り）用に保留
０００００１００ｂ：圧縮オーディオ（ＤＴＳ）用に保留
０００００１０１ｂ：圧縮オーディオ（ＳＤＤＳ）用に保留
その他            ：その他の符号化モード用に保留
【００２８】
（２）チャネルグループ１の量子化ビット数Ｑ１（ｂ１１１〜ｂ１０８）
００００ｂ：１６ビット
０００１ｂ：２０ビット
００１０ｂ：２４ビット
その他  ：保留
（３）チャネルグループ２の量子化ビット数Ｑ２（ｂ１０７〜ｂ１０４）
・チャネルグループ１の量子化ビット数Ｑ１が「００００ｂ」の場合には「００００ｂ」
・チャネルグループ１の量子化ビット数Ｑ１が「０００１ｂ」の場合には「００００ｂ」又は「０００１ｂ」
・チャネルグループ１の量子化ビット数Ｑ１が「００１０ｂ」の場合には「００００ｂ」、「０００１ｂ」又は「００１０ｂ」
ただし、００００ｂ：１６ビット
０００１ｂ：２０ビット
００１０ｂ：２４ビット
その他    ：保留
【００２９】
（４）チャネルグループ１のサンプリング周波数ｆｓ１（ｂ１０３〜ｂ１００）
００００ｂ：４８ｋＨｚ
０００１ｂ：９６ｋＨｚ
００１０ｂ：１９２ｋＨｚ
１０００ｂ：４４．１ｋＨｚ
１００１ｂ：８８．２ｋＨｚ
１０１０ｂ：１７６．４ｋＨｚ
その他    ：保留
【００３０】
（５）チャネルグループ２のサンプリング周波数ｆｓ２（ｂ９９〜ｂ９６）
・チャネルグループ１のサンプリング周波数ｆｓ１が「００００ｂ」の場合には「００００ｂ」
・チャネルグループ１のサンプリング周波数ｆｓ１が「０００１ｂ」の場合には「００００ｂ」又は「０００１ｂ」
・チャネルグループ１のサンプリング周波数ｆｓ１が「００１０ｂ」の場合には「００００ｂ」、「０００１ｂ」又は「００１０ｂ」
・チャネルグループ１のサンプリング周波数ｆｓ１が「１０００ｂ」の場合には「１０００ｂ」
・チャネルグループ１のサンプリング周波数ｆｓ１が「１００１ｂ」の場合には「１０００ｂ」又は「１００１ｂ」
・チャネルグループ１のサンプリング周波数ｆｓ１が「１０１０ｂ」の場合には「１０００ｂ」、「１００１ｂ」又は「１０１０ｂ」
【００３１】
（６）マルチチャネル構造のタイプ（ｂ９５〜ｂ９３）
０００ｂ：タイプ１
その他  ：保留
（７）チャネル割り当て（ｂ９２〜ｂ８８）
図１０は１チャネル（モノラル）から６チャネルまでのグループ「１」、「２」のチャネル割当情報を示している。ちなみに、図に示す記号を以下に説明する。
Ｃ（ｍｏｎｏ）：モノラル
Ｌ，Ｒ    ：２チャネルステレオ
Ｌｆ      ：マルチチャネルのレフトフロント
Ｒｆ      ：マルチチャネルのライトフロント
Ｃ        ：マルチチャネルのセンター
ＬＦＥ    ：マルチチャネルのＬｏｗ  Ｆｒｅｑｕｅｎｃｙ  Ｅｆｆｅｃｔ
Ｓ        ：マルチチャネルのサラウンド
Ｌｓ      ：マルチチャネルのレフトサラウンド
Ｒｓ      ：マルチチャネルのライトサラウンド
【００３２】
（８）デコーディング・オーディオ・ストリーム数（ｂ８７〜ｂ８５）
「０」又は「１」
（９）ＭＰＥＧオーディオ用ＤＲＣ（ｂ７９、ｂ７８）
００ｂ：ＭＰＥＧオーディオストリーム内にＤＲＣデータが存在しない。
０１ｂ：ＭＰＥＧオーディオストリーム内にＤＲＣデータが存在する。
【００３３】
（１０）圧縮オーディオチャネル数（ｂ７５〜ｂ７２）
オーディオ符号化モードがリニヤＰＣＭオーディオの場合には「１１１１ｂ」
００００ｂ：１ｃｈ（モノ）
０００１ｂ：２ｃｈ（ステレオ）
００１０ｂ：３ｃｈ
００１１ｂ：４ｃｈ
０１００ｂ：５ｃｈ
０１０１ｂ：６ｃｈ
０１１０ｂ：７ｃｈ
０１１１ｂ：８ｃｈ
その他    ：保留
【００３４】
図７に示した２８８（１８×１６）バイトのエリア（ＲＢＰ３８４〜６７１）には、マルチチャネルオーディオデータを２チャネルにダウンミックスするために図１１に示すようにテーブル番号「０」〜「１５」の各ダウンミックス係数（ＡＴＳ−ＤＭ−ＣＯＥＦＴ＃０〜＃１５）が１８バイトで記述される。
【００３５】
図１に示したＡＴＳ−ＰＧＣＩＴ（ＡＴＳプログラム・チェーン・インフォメーション・テーブル）は、図１２に詳しく示すように先頭から順に
・図１３に詳しく示すオーディオ・タイトルセットＰＧＣＩテーブル・インフォメーション（ＡＴＳ−ＰＧＣＩＴＩ）と、
・図１４、図１５に詳しく示すｎ個のオーディオ・タイトルセットＰＧＣＩサーチポインタ（ＡＴＳ−ＰＧＣＩ−ＳＲＰ＃１〜＃ｎ）と
・図１６に詳しく示す複数のオーディオ・タイトルセットＰＧＣＩ（ＡＴＳ−ＰＧＣＩ）により構成されている。
【００３６】
ＡＴＳ−ＰＧＣＩＴＩは図１３に詳しく示すように８バイトで構成され、先頭から順に
・２バイトのＡＴＳ−ＰＧＣＩ−ＳＲＰ＃１〜＃ｎの数と、
・２バイトの保留領域と、
・４バイトのＡＴＳ−ＰＧＣＩＴのエンドアドレスにより構成されている。ＡＴＳ−ＰＧＣＩ−ＳＲＰ＃１〜＃ｎの各々は、図１４に詳しく示すように８バイトで構成され、先頭から順に
・図１５に詳しく示すように４バイトのＡＴＳ−ＰＧＣのカテゴリ（ＡＴＳ−ＰＧＣ−ＣＡＴ）と
・４バイトのＡＴＳ−ＰＧＣＩのエンドアドレスにより構成されている。
【００３７】
上記の４バイト（ｂ３１〜ｂ０）のＡＴＳ−ＰＧＣのカテゴリは、図１５に詳しく示すように先頭から順に
・１ビット（ｂ３１）のエントリータイプと、
・７ビット（ｂ３０〜ｂ２４）のＡＴＳオーディオタイトル数（ＡＴＳ−ＴＴＮ）と、
・２ビット（ｂ２３、ｂ２２）のブロックモードと、
・２ビット（ｂ２１、ｂ２０）のブロックタイプと、
・４ビット（ｂ１９〜ｂ１６）のオーディオチャネル数と、
・８ビット（ｂ１５〜ｂ８）のオーディオ符号化モードと、
・８ビット（ｂ７〜ｂ０）の保留領域により構成されている。
【００３８】
上記カテゴリ（ＡＴＳ−ＰＧＣ−ＣＡＴ）の内容を以下に詳しく示す。
（１）エントリータイプ（ｂ３１）
０ｂ：エントリーＰＧＣでない
１ｂ：エントリーＰＧＣ
（２）ＡＴＳオーディオタイトル数（ｂ３０〜ｂ２４）
このＡＴＳのオーディオタイトル数を「１」〜「９９」の範囲で記述する。
（３）ブロックモード（ｂ２３、ｂ２２）
００ｂ：ＡＴＳ−ＰＧＣブロックのＡＴＳ−ＰＧＣでない
０１ｂ：ＡＴＳ−ＰＧＣブロックの最初のＡＴＳ−ＰＧＣ
１０ｂ：保留
１１ｂ：ＡＴＳ−ＰＧＣブロックの最後のＡＴＳ−ＰＧＣ
（４）ブロックタイプ（ｂ２１、ｂ２０）
００ｂ：このブロックの一部でない
０１ｂ：オーディオコーディングモードのみの差分のブロック
１０ｂ：オーディオチャネルのみの差分のブロック
１１ｂ：オーディオコーディングモードとオーディオチャネルの両方の差分のブロック
（５）オーディオチャネル数（ｂ１９〜ｂ１６）
００００ｂ：２チャネル以下
０００１ｂ：２チャネルを超える
【００３９】
図１２に示したオーディオ・タイトルセットＰＧＣＩ（ＡＴＳ−ＰＧＣＩ）の各々は、図１６に詳しく示すように先頭から順に
・図１７、図１８に詳しく示すＡＴＳ−ＰＧＣジェネラル・インフォメーション（ＡＴＳ−ＰＧＣ−ＧＩ）と、
・図１９〜図２１に詳しく示すＡＴＳプログラム・インフォメーション・テーブル（ＡＴＳ−ＰＧＩＴ）と
・図２２〜図２４に詳しく示すＡＴＳセル・プレイバック・インフォメーション・テーブル（ＡＴＳ−Ｃ−ＰＢＩＴ）により構成されている。
【００４０】
ＡＴＳ−ＰＧＣ−ＧＩは図１７に詳しく示すように１６バイト（ＲＢＰ０〜１５）で構成され、先頭から順に
・図１８に詳しく示す４バイト（ＲＢＰ０〜３）のＡＴＳ−ＰＧＣコンテンツ（ＡＴＳ−ＰＧＣ−ＣＮＴ）と、
・４バイト（ＲＢＰ４〜７）のＡＴＳ−ＰＧＣプレイバック・タイム（ＡＴＳ−ＰＧＣ−ＰＢ−ＴＭ）と、
・２バイト（ＲＢＰ８、９）の保留領域と、
・２バイト（ＲＢＰ１０、１１）のＡＴＳ−ＰＧＩＴのスタートアドレスと、
・２バイト（ＲＢＰ１２、１３）のＡＴＳ−Ｃ−ＰＢＩＴのスタートアドレスと、
・２バイト（ＲＢＰ１４、１５）の保留領域により構成されている。
【００４１】
上記の４バイト（ｂ３１〜ｂ０）のＡＴＳ−ＰＧＣコンテンツは図１８に詳しく示すように先頭から順に
・１７ビット（ｂ３１〜ｂ１５）の保留領域と、
・７ビット（ｂ１４〜ｂ８）のプログラム数と
・８ビット（ｂ７〜ｂ０）のセル数により構成されている。プログラム数は「１」〜「９９」の範囲であり、セル数は「１」〜「２５５」の範囲である。
【００４２】
図１６に示したＡＴＳプログラム・インフォメーション・テーブル（ＡＴＳ−ＰＧＩＴ）は、図１９に詳しく示すようにｎ個のＡＴＳプログラム・インフォメーション（ＡＴＳ−ＰＧＩ）＃１〜＃ｎにより構成されている。ＡＴＳ−ＰＧＩ＃１〜＃ｎの各々は図２０に詳しく示すように２０バイト（ＲＢＰ０〜１９）で構成され、先頭から順に
・図２１に詳しく示す４バイト（ＲＢＰ０〜３）のＡＴＳ−ＰＧコンテンツ（ＡＴＳ−ＰＧ−ＣＮＴ）と、
・１バイト（ＲＢＰ４）のＡＴＳ−ＰＧのエントリセル番号と、
・１バイト（ＲＢＰ５）の保留領域と、
・４バイト（ＲＢＰ６〜９）のＡＴＳ−ＰＧの最初のオーディオセルのスタート
・プレゼンテーション・タイム（ＦＡＣ−Ｓ−ＰＴＭ）と、
・４バイト（ＲＢＰ１０〜１３）のＡＴＳ−ＰＧプレイバック・タイムと、
・４バイト（ＲＢＰ１４〜１７）のＡＴＳ−ＰＧポーズ・タイムと、
・１バイト（ＲＢＰ１８）の保留領域（著作権管理データＣＭＩ用）と、
・１バイト（ＲＢＰ１９）の保留領域
により構成されている。
【００４３】
上記２バイト（ｂ３１〜０）のＡＴＳ−ＰＧコンテンツは、図２１に詳しく示すように先頭から順に
・１ビット（ｂ３１）の、前回と今回のＰＧの関係（Ｒ／Ａ）と、
・１ビット（ｂ３０）のＳＴＣ不連続性フラグ（ＳＴＣ−Ｆ）と、
・３ビット（ｂ２９〜ｂ２７）のアトリビュート数（ＡＴＲＮ）と、
・３ビット（ｂ２６〜ｂ２４）のチャネルグループ（ＣｈＧｒ）「２」のビットシフトデータと、
・２ビット（ｂ２３、ｂ２２）の保留領域と、
・１ビット（ｂ２１）のダウンミックスモード（Ｄ−Ｍ）と、
・１ビット（ｂ２０）のダウンミックス係数の有効性（図示※）と、
・４ビット（ｂ１９〜ｂ１６）のダウンミックス係数テーブル番号（ＤＭ−ＣＯＥＦＴＮ）と、
・各々が１ビット、合計１６ビット（ｂ１５〜ｂ０）のＲＴＩフラグＦ１５〜Ｆ０により構成されている。
【００４４】
図１６に示したＡＴＳセル・プレイバック・インフォメーション・テーブル（ＡＴＳ−Ｃ−ＰＢＩＴ）は、図２２に詳しく示すようにｎ個のＡＴＳセル・プレイバック・インフォメーション（ＡＴＳ−Ｃ−ＰＢＩ）＃１〜＃ｎにより構成されている。ＡＴＳ−Ｃ−ＰＢＩ＃１〜＃ｎの各々は、図２３に詳しく示すように１２バイト（ＲＢＰ０〜１１）により構成され、先頭から順に
・１バイト（ＲＢＰ０）のＡＴＳ−Ｃのインデックス番号と、
・図２４に詳しく示すように１バイト（ＲＢＰ１）のＡＴＳ−Ｃタイプ（ＡＴＳ−Ｃ−ＴＹ）と、
・２バイト（ＲＢＰ２、３）の保留領域と、
・４バイト（ＲＢＰ４〜７）のＡＴＳ−Ｃのスタートアドレスと、
・４バイト（ＲＢＰ８〜１１）のＡＴＳ−Ｃのエンドアドレスにより構成されている。
【００４５】
１バイト（ｂ７〜ｂ０）のＡＴＳ−Ｃタイプは、図２４に詳しく示すように先頭から順に
・２ビット（ｂ７、ｂ６）のＡＴＳセル要素（ＡＴＳ−Ｃ−ＣＯＭＰ）と、
・２ビット（ｂ５、ｂ４）の保留領域と、
・４ビット（ｂ３〜ｂ０）のＡＴＳセル用途（ＡＴＳ−Ｃ−Ｕｓａｇｅ）により構成されている。
【００４６】
上記データの内容を以下に詳しく示す。
（１）ＡＴＳセル要素（ｂ７、ｂ６）
００ｂ：オーディオデータのみから成るオーディオセル
０１ｂ：オーディオデータとリアルタイムインフォメーションから成るオーディオセル
１０ｂ：サイレンス用のオーディオデータのみから成るサイレンスセル
１１ｂ：スチルピクチャのみから成るピクチャセル
（２）ＡＴＳセル用途（ｂ３〜ｂ０）
００００ｂ：記述無し
０００１ｂ：スポットライトパート
その他    ：保留
【００４７】
次に上記のＤＶＤオーディオディスクのエンコード装置について説明する。図２５、図２６はそれぞれエンコード装置の構成と処理を示している。アナログオーディオ信号ＡはＡ／Ｄコンバータ３１により十分高いサンプリング周波数（サンプリング周期Δｔ）、例えば１９２ｋＨｚでサンプリングされて、例えば２４ビットの高分解能のＰＣＭ信号に変換される。続くビットシフト／信号処理回路３２では、圧縮を行わない場合には、Ａ／Ｄコンバータ３１により変換されたＰＣＭデータがそのままＤＶＤフォーマット化部３４に印加される。これに対し、圧縮を行う場合には、Ａ／Ｄコンバータ３１により変換されたＰＣＭデータがその符号化モードに応じてビットシフト／信号処理回路３２により圧縮され、次いでＤＶＤフォーマット化部３４に印加される（ステップＳ５、Ｓ６）。ビットシフト／信号処理回路３２ではまた、グループ「２」の各チャネルがビットシフトされる。
【００４８】
また、ビデオ信号ＶはＡ／Ｄ変換器３１Ｖによりデジタル信号に変換され、次いでこのデジタルビデオ信号がＶエンコーダ３２ＶによりＭＰＥＧフォーマットにエンコードされ、ＤＶＤフォーマット化部３４に印加される（ステップＳ１、Ｓ２）。また、静止画信号ＳＰはＡ／Ｄ変換器３１ＳＰによりデジタル信号に変換され、次いでこのデジタル静止画信号ＳＰが圧縮エンコーダ３２ＳＰによりＭＰＥＧフォーマットにエンコードされ、ＤＶＤフォーマット化部３４に印加される（ステップＳ３、Ｓ４）。また、著作権情報とリアルタイムテキスト（ＲＴ）情報がインタフェース（Ｉ／Ｆ）４０を介して（ステップＳ７、Ｓ８）、また、文字情報とディスク識別子ＥＸがＤＶＤフォーマット化部３４に印加される（ステップＳ９、Ｓ１０）。
【００４９】
そしてＤＶＤフォーマット化部３４は、各入力データを前述したようなフォーマットにパッキングする（ステップＳ１１）。このＤＶＤフォーマット化部３４によりフォーマット化されたデータは、変調回路３５によりディスクに応じた変調方式で変調されてこの変調データに基づいてディスクが製造されたり、記録部３８にいったん記録されたり、通信Ｉ／Ｆ３９を介して伝送される（ステップＳ１２）。
【００５０】
図２７は上記エンコード装置の内のオーディオエンコード部を抜き出して示している。まず、入力端子１０１〜１０５にはマルチチャネル信号として、それぞれフロント左ＦＬ、センタＣ、フロント右ＦＲ、リア左又はカラオケ左ＲＬ／ＫＬ及びリア右／カラオケ右ＲＲ／ＫＲの５チャネル信号が入力してＤＶＤオーディオフォーマット化処理部１０６に印加される。また、この５チャネル信号をステレオ２チャネルにダウンミックスするための係数と文字データがそれぞれ入力端子１０７、１０９とＩ／Ｆ１０８、１１０を介してＤＶＤオーディオフォーマット化処理部６に印加される。そして、ＤＶＤオーディオフォーマット化処理部１０６では操作入力部１１３の操作指示とシステムコントローラ１１４の制御に基づいて、マルチチャネル信号は図２に示すＡパックに配置され、ダウンミックス係数は図１１に示すＡＴＳ−ＤＭ−ＣＯＥＦＴ＃０〜＃１５に配置され、文字データは図２に示すＲＴＩパックに配置される。
【００５１】
ここで、入力ダウンミックス係数は、５チャネル信号をステレオ２チャネルにダウンミックスする場合に、熟練したミキサが推奨する複数通りの係数であり、また、ダウンミックス係数α、β、γを用いた変換式は次の通りである。
ステレオＬ＝α×ＦＬ＋β×Ｃ＋γ×ＲＬ／ＫＬ
ステレオＲ＝α×ＦＲ＋β×Ｃ＋γ×ＲＲ／ＫＲ
【００５２】
そして、第１の利用例としては、伴奏音楽とボーカル音楽をそれぞれフロントチャネルＦＬ、Ｃ、ＦＲとリアチャネルＲＬ／ＫＬ、ＲＲ／ＫＲに配置して、
・通常の５チャネルのサラウンド再生を行うための係数α、β、γと、
・５チャネルを２チャネルＬ、Ｒにダウンミックスするとともに、リアチャネルＲＬ／ＫＬ、ＲＲ／ＫＲを２チャネルＬ、Ｒにミックスして再生を行うための係数α、β、γと、
・カラオケ再生を行うためにリアチャネルＲＬ／ＫＬ、ＲＲ／ＫＲを再生しないで５チャネルのサラウンド再生を行うための係数α、β、γと、
・５チャネルを２チャネルＬ、Ｒにダウンミックスするとともに、カラオケ再生を行うためにリアチャネルＲＬ／ＫＬ、ＲＲ／ＫＲを再生しないための係数α、β、γなどの複数通りの係数α、β、γを記録する方法が考えられる。
【００５３】
また、第２の利用例としては、伴奏音楽をフロントチャネルＦＬ、Ｃ、ＦＲに配置するとともに、デュエットの男声ボーカルと女声ボーカルをそれぞれリアチャネルＲＬ／ＫＬ、ＲＲ／ＫＲに配置して、
・通常の５チャネルのサラウンド再生を行うための係数α、β、γと、
・２チャネルＬ、Ｒにダウンミックスして再生を行うための係数α、β、γと、
・男声、女声の両方を再生しないカラオケ再生を行うために５チャネルのサラウンド再生を行うための係数α、β、γと、
・男声、女声の両方を再生しないカラオケ再生を行うために２チャネルＬ、Ｒにダウンミックスして再生を行うための係数α、β、γと、
・男声、女声の一方を再生しないカラオケ再生を行うために５チャネルのサラウンド再生を行うための係数α、β、γと、
・男声、女声の一方を再生しないカラオケ再生を行うために２チャネルＬ、Ｒにダウンミックスして再生を行うための係数α、β、γなどの複数通りの係数α、β、γを記録する方法が考えられる。
【００５４】
図２８は上記のＤＶＤオーディオディスクのデコード装置の具体的構成を示し、図２９は図２８の構成を機能的に示している。また、図３０はその処理を示している。図２８、図２９において、まず、操作部１８やリモコン装置１９により曲目選択、再生、早送り、停止操作が行われると、制御部２３はその操作に応じてドライブ装置２と再生装置１７を制御し、再生時にはＤＶＤオーディオディスク１に記録されたピットデータがドライブ装置２により読み取られた後、ＥＦＭ復調される。
【００５５】
再生装置１７では、この信号が静止画及びＶパック検出部３とＡ及びＲＴＩパック検出部９に送られる。静止画パック、Ｖパックがディスク１に記録されている場合には、静止画及びＶパック検出部３はこの再生データ中の静止画パック、Ｖパックを検出して制御パラメータをパラメータ部８に設定するとともに静止画パック、Ｖパックを静止画及びＶパックバッファ４に順次書き込む。静止画及びＶパックバッファ４に書き込まれた静止画パック、Ｖパック内のユーザデータ（ビデオ信号、静止画情報）は、バッファ取り出し部５により静止画パック、Ｖパック内のＳＣＲに基づいてパック順に、また、出力時刻順に取り出され、次いで伸長及び画像変換部６、Ｄ／Ａ変換部７、ビデオ出力端子１５、１５’を介してアナログビデオ信号として出力される。
【００５６】
また、Ａ及びＲＴＩパック検出部９は再生データ中のＡパックとＲＴＩパックを検出して制御パラメータをパラメータ部１４に設定するとともに、ＡパックとＲＴＩパックをＡ及びＲＴＩパックバッファ１０に順次書き込む。Ａ及びＲＴＩパックバッファ１０に書き込まれたＡパック、ＲＴＩパック内のユーザデータ（オーディオ信号、リアルタイム・インフォメーション）は、バッファ取り出し部１１によりパック順に、また、出力時刻順に取り出される。そして、オーディオ信号はＰＣＭ変換及びビットシフト／信号処理部１２、Ｄ／Ａ変換部１３、オーディオ出力端子１６を介してアナログオーディオ信号として出力される。また、リアルタイム・インフォメーションは表示信号生成部２０に送られて表示信号が生成され、この表示信号は表示信号出力端子２２を介して出力されたり、内蔵の文字表示部２１に出力される。
【００５７】
図３０を参照してこのデコード装置の処理を説明する。まず、ディスク１にアクセスして記録データを読み出し（ステップＳ２０）、次いで各分離ステップＳ２１〜Ｓ２９においてビデオ信号と、静止画信号と、オーディオ信号と、著作権情報及びリアルタイムテキスト（ＲＴ）情報と、文字情報及びディスク識別子（ＥＸ）が分離される。次いで各デコードステップＳ２２〜Ｓ３０においてそれぞれ各分離データがデコードされ、次いで同期再生される（ステップＳ３１、Ｓ３２）。
【００５８】
図３１は上記デコード装置の内、オーディオデコード部を抜き出して示している。まず、入力端子１１５を介して入力するデータがＤＶＤオーディオデフォーマット化処理部１１６により５チャネル信号ＦＬ、Ｃ、ＦＲ、ＲＬ／ＫＬ及びＲＲ／ＫＲと、ダウンミックス係数α、β、γと文字データに分離される。そして、５チャネルとして出力する場合にはそのままマルチチャネル出力端子１１９〜１２３を介して出力され、他方、ダウンミックスして出力する場合には上記演算式に基づいてダウンミキサ１１７によりステレオ２チャネル信号Ｌ、Ｒに変換されてステレオ出力端子１２４、１２５を介して出力される。このとき、ユーザはディスク１から再生されたダウンミックス係数α、β、γの組み合わせから１つを選択することにより、熟練したミキサが推奨する係数を選択してボーカルを含む再生やボーカルを含まないカラオケ再生を行うことができる。
【００５９】
すなわち、ユーザはダウンミックスするモードを選択する。一方、ダウンミックス係数をタイトルに固定させることにより、ユーザの選択操作を簡略化することができる。そのため、図１に示すＡＯＴＴ−ＡＯＢＳの中の複数のＡＴＳをあらかじめこれらの組み合わせとしておく。すなわち、伴奏だけのＡＴＳ、ボーカルチャネルだけのＡＴＳ、伴奏とボーカルチャネルのＡＴＳなどをあらかじめ用意し、ユーザはダウンミックスされたタイトルを選択する。
【００６０】
図３２、図３３はそれぞれ第２の実施形態として３チャネル（左Ｌ、右Ｒ、ボーカルＫ）を用いた場合のオーディオエンコード部、オーディオデコード部を示している。オーディオエンコード部では、上記の３チャネルの内、２チャネルＬ、Ｒには伴奏音楽（あるいはピアノコンチェルトのオーケストラパート）が配置され、ボーカルチャネルＫにはボーカル（あるいはピアノコンチェルトのピアノパート）が配置される。そして、ダウンミックス係数α、β、γとして、デコーダ側が３チャネル再生を行う際に、
ＦＬ＝α×Ｌ
Ｃ＝β×Ｋ
ＦＲ＝γ×Ｒ
の演算を行うための係数が伝送される。
【００６１】
この第２の実施形態によれば、図３３に示すように２チャネル再生のデコーダ側は、β＝１、α＝γ＝０に設定すればボーカルチャネルＫのみを再生することができ、β＝０、α＝γ＝１に設定すれば伴奏チャネルＬ、Ｒのみを再生することができ、また、
Ｌ＝Ｌ＋Ｋ
Ｒ＝Ｒ＋Ｋ
を演算すればボーカルチャネルＫを伴奏チャネルＬ、Ｒにミックスして再生することができる（図示出力端子１２４、１２５）。また、３チャネル再生のデコーダ側は、各チャネルＬ、Ｒ、Ｋをそのまま再生したり、伝送された係数α、β、γに基づいてミックスして再生することができる（図示出力端子１１９、１２０、１２１）。
【００６２】
図３４、図３５はそれぞれ第３の実施形態として６チャネル（フロント左ＦＬ、センタ又はボーカルＣ／Ｋ、フロント右ＦＲ、リア左ＲＬ、リア右ＲＲ、ＬＦＥ）を用いた場合のオーディオエンコード部、オーディオデコード部を示している。オーディオエンコード部では、上記の６チャネルの内、例えばチャネルＣ／Ｋにはボーカルが配置され、残りの５チャネルには伴奏音楽が配置される。そして、デコーダ側がダウンミックスを行うために次のようなダウンミックス係数が伝送される。
Ｌ＝α×ＦＬ＋β×Ｃ／Ｋ＋γ×ＲＬ＋δ×ＬＦＥ
Ｒ＝α×ＦＲ＋β×Ｃ／Ｋ＋γ×ＲＲ＋δ×ＬＦＥ
【００６３】
したがって、この第３の実施形態においても同様に、図３５に示すように２チャネル再生のデコーダ側は、β＝１、α＝γ＝δ＝０に設定すればボーカルチャネルＫのみを再生することができ、β＝０、α＝γ＝δ＝１に設定すれば伴奏チャネルＬ、Ｒのみを再生することができる。また、６チャネル再生のデコーダ側は全てのチャネルを再生することができることはもちろん、
ＦＬ＝ＦＬ＋α×Ｃ／Ｋ
Ｃ＝０
ＦＲ＝ＦＲ＋α×Ｃ／Ｋ
を演算することにより５チャネルでも再生することができる。
【００６４】
さらに、右ハンドル用のカーオーディオシステムに適用した場合、左チャネルの係数を０．５に設定すれば再生音声が左に移動するので、右側の運転手にとって最適な左右バランスで再生することができる。なお、ダウンミックス係数は図１１に示すＡＴＳ−ＤＭ−ＣＯＥＦＴ＃０〜＃１５に配置する代わりに、図２に示すＲＴＩパックに配置するようにしてもよい。また、伝送データはＰＣＭデータの他、１ビットストリーム信号でもよい。この場合には、デコーダ側ではミキシングが困難であるので、２チャネルのダウンミックス出力を設けずにマルチチャネル出力のみを設け、ボーカルチャネルをミックスしないでミュートするようにしてもよい。
【００６５】
ここで、静止画ＳＰを再生する処理には次の３通りがある。
１）静止画ＳＰが得られると、オーディオ信号Ａの再生を中断してミュートする。
２）静止画ＳＰが得られると、時間制御信号に基づいてオーディオ信号Ａと共に再生する。
３）静止画ＳＰが得られると、ユーザに指示されたページめくりコマンドに基づいてページめくり再生する。このときオーディオ信号Ａはそのまま再生する。
【００６６】
ここで、上記のオーディオデコード部は、ディスク再生装置の一部として組み込んで使用する方法の他に、製品単体としてＩＣチップ化して構成し、ＤＶＤビデオ再生装置やパーソナルコンピュータの部品として使用することができる。
【００６７】
次に、上記のようにフォーマット化されたデジタルオーディオ信号を通信回線を介して伝送する実施例について説明する。まず、図３６〜図４０を参照して送信側であるパッキング装置について説明する。パッキング装置は図３６に示すようにパッキング処理部３０と、バッファメモリ３０Ｂと、コントロール回路２９と、操作部２７とディスプレイ２８を有する。そして、図３７〜図４０において、まず、ビデオ信号Ｖと、静止画信号ＳＰと、オーディオ信号Ａとリアルタイム情報ＲＴＩとディスク識別子（ＥＸ）が入力されると、ステップＳ１００では図３８に詳しく示すようにオーディオパックを生成し（ステップＳ１０１）、次いでビデオパックを生成し（ステップＳ１０２）、次いで静止画パックを生成し（ステップＳ１０３）、次いでリアルタイムテキストを生成する（ステップＳ１０４）。
【００６８】
次いでセル（ＡＴＳ−Ｃ）を管理し（ステップＳ２００）、次いでＰＴＴ（パートオブタイトル）を管理し（ステップＳ３００）、次いでタイトル（ＡＯＴＴ−ＡＯＢ）を管理し（ステップＳ４００）、次いでタイトルセット（ＡＯＴＴ−ＡＯＢＳを管理する（ステップＳ５００）。続くステップＳ６００ではＡＴＳを生成するために、図３９に詳しく示すようにタイトルセットを生成し（ステップＳ６０１）、次いでメニューを生成する（ステップＳ６０２）。次いでＡＴＳ−ＰＧＣＩのカテゴリを記載し（ステップＳ６０３）、次いでビットシフトを含むＰＧコンテンツから成るＰＧＩＴを生成してＰＧＣＩを生成することによりＡＴＳ−ＰＧＣＩＴを生成する（ステップＳ６０４）。次いで属性、係数のＭＡＴを生成することによりＡＴＳＩを生成する（ステップＳ６０５）。次いでＡＭＧを生成し（ステップＳ７００）、最後にＴＯＣを生成する（ステップＳ８００）。
【００６９】
次に、上記のようにフォーマット化されたデジタルオーディオ信号を通信回線を介して伝送する場合には、図４０に示すように、送信バッファに蓄えられている送信データを所定長に分割してパケット化し（ステップＳ４１）、次いでパケットの先頭には宛て先アドレスを含むヘッダを付与し（ステップＳ４２）、次いでこれをネットワーク上に出力する（ステップＳ４３）。
【００７０】
次に図４１〜図４５を参照してデータ受信側について説明する。図４１に示すようにデータ受信側のアンパッキング装置は、アンパッキング処理部６０と、バッファメモリ６０Ｂと、パラメータメモリ５６と、コントロール回路５９と、操作部５７とディスプレイ５８を有する。まず、図４２に示すように、ネットワークから受信したパケットからヘッダを除去し（ステップＳ５１）、次いで受信データを復元し（ステップＳ５２）、次いでこれをメモリに転送する（ステップＳ５３）。
【００７１】
次に図４３〜図４５に示すように、まず、ＡＭＧをデコードしてＡＴＳを検出し（ステップＳ１１００）、続くステップＳ１２００では目的のＡＴＳのＡＴＳＩをデコードするために、図４４に詳しく示すようにＡＴＳ−ＰＧＣＩのカテゴリをデコードし（ステップＳ１２０１）、次いでビットシフトを含むＰＧコンテンツから成るＰＧＩＴをデコードし（ステップＳ１２０２）、次いでＭＡＴの属性、係数をデコードし（ステップＳ１２０３）、次いでこれらのデコードした各パラメータをパラメータメモリ５６に設定する（ステップＳ１２０４）。
【００７２】
次いで再生が開始されると、パックを識別し（ステップＳ１３００）、続くステップＳ１４００ではパックをデコードするために、図４５に詳しく示すようにオーディオパックをデコードし（ステップＳ１４０１）、次いでビデオパックをデコードし（ステップＳ１４０２）、次いで静止画パックをデコードし（ステップＳ１４０３）、次いでリアルタイムテキストをデコードする（ステップＳ１４０４）。そしてこれらの各パックからデコードしたオーディオ信号と、ビデオ信号と、静止画信号とリアルタイムテキスト信号を出力し（ステップＳ１５００）、再生中にはステップＳ１３００〜ステップＳ１５００の処理を繰り返す。
【００７３】
上記エンコード装置及びデコード装置は、上記エンコード方法及びデコード方法をコンピュータプログラムとしてＲＯＭなどのＩＣチップに記憶しておき、このプログラムによりコンピュータのＣＰＵ（中央演算処理装置）を作動させることによっても実現できる。また、インターネットやカラオケ通信回線などの通信回線を介して伝送して再生側ではハードウエアやＰＣ上のアプリケーションにより再生する場合にも適用することができる。
【００７４】
【発明の効果】
以上説明したように本発明によれば、例えば伴奏音楽などの第１のオーディオ信号とボーカル音楽などの第２のオーディオ信号を含むマルチチャネル信号をステレオ２チャネルにダウンミックスするための最適な係数を記録媒体や通信媒体を介して伝送するようにしたので、マルチチャネルを２チャネルにダウンミックスして再生する場合にユーザにとって使い勝手を良くすることができる。
【図面の簡単な説明】
【図１】第１の実施形態のオーディオディスクのオーディオ・タイトルセット（ＡＴＳ）とオーディオ・タイトルセット・インフォメーション（ＡＴＳＩ）を示す説明図である。
【図２】図１のオーディオ・オンリ・タイトル用オーディオ・オブジェクト・セット（ＡＯＴＴ−ＡＯＢＳ）を詳しく示す説明図である。
【図３】図２のオーディオパックの一例を詳しく示す説明図である。
【図４】図３のプライベートヘッダを詳しく示す説明図である。
【図５】図２のリアルタイム・インフォメーション（ＲＴＩ）パックを詳しく示す説明図である。
【図６】図２のスチルピクチャ（ＳＰＣＴ）パックを詳しく示す説明図である。
【図７】図１のオーディオ・タイトルセット・インフォメーション・マネージメント・テーブル（ＡＴＳＩ−ＭＡＴ））を詳しく示す説明図である。
【図８】図７のオーディオ・オンリ・タイトル用オーディオ・オブジェクト・アトリビュート（ＡＯＴＴ−ＡＯＢ−ＡＴＲ）を詳しく示す説明図である。
【図９】図７のオーディオ・オンリ・タイトル用ビデオ・オブジェクト・オーディオストリーム・アトリビュート（ＡＯＴＴ−ＶＯＢ−ＡＳＴ−ＡＴＲ）を詳しく示す説明図である。
【図１０】図８及び図９のチャネル割当情報を詳しく示す説明図である。
【図１１】図７のダウンミックス係数（ＡＴＳ−ＤＭ−ＣＯＥＦＴ）を詳しく示す説明図である。
【図１２】図１のオーディオ・タイトルセット・プログラム・チェーン・インフォメーション・テーブル（ＡＴＳ−ＰＧＣＩＴ）を詳しく示す説明図である。
【図１３】図１２のＡＴＳ−ＰＧＣＩＴインフォメーション（ＡＴＳ−ＰＧＣＩＴＩ）を詳しく示す説明図である。
【図１４】図１２のＡＴＳ−ＰＧＣＩサーチポインタ（ＡＴＳ−ＰＧＣＩ−ＳＲＰ）を詳しく示す説明図である。
【図１５】図１４のＡＴＳ−ＰＧＣカテゴリ（ＡＴＳ−ＰＧＣＩ−ＣＡＴ）を詳しく示す説明図である。
【図１６】図１２のオーディオ・タイトルセット・プログラム・チェーン・インフォメーション（ＡＴＳ−ＰＧＣＩ）を詳しく示す説明図である。
【図１７】図１６のＡＴＳ−ＰＧＣジェネラル・インフォメーション（ＡＴＳ−ＰＧＣ−ＧＩ）を詳しく示す説明図である。
【図１８】図１７のＡＴＳ−ＰＧＣコンテンツ（ＡＴＳ−ＰＧＣ−ＣＮＴ）を詳しく示す説明図である。
【図１９】図１６のＡＴＳプログラム・インフォメーション・テーブル（ＡＴＳ−ＰＧＩＴ）を詳しく示す説明図である。
【図２０】図１９のＡＴＳプログラム・インフォメーション（ＡＴＳ−ＰＧＩ）を詳しく示す説明図である。
【図２１】図２０のＡＴＳ−ＰＧコンテンツ（ＡＴＳ−ＰＧ−ＣＮＴ）を詳しく示す説明図である。
【図２２】図１９のＡＴＳセル・プレイバック・インフォメーション・テーブル（ＡＴＳ−Ｃ−ＰＢＩＴ）を詳しく示す説明図である。
【図２３】図２２のＡＴＳセル・プレイバック・インフォメーション（ＡＴＳ−Ｃ−ＰＢＩ）を詳しく示す説明図である。
【図２４】図２３のＡＴＳ−Ｃタイプ（ＡＴＳ−Ｃ−ＴＹ）を詳しく示す説明図である。
【図２５】ＤＶＤオーディオディスクのエンコード装置を示すブロック図である。
【図２６】図２５のエンコード装置の処理を示すフローチャートである。
【図２７】図２５のオーディオエンコード部を示すブロック図である。
【図２８】ＤＶＤオーディオディスクのデコード装置を示すブロック図である。
【図２９】図２８のデコード装置を機能的に示すブロック図である。
【図３０】図２８、図２９のデコード装置の処理を示すフローチャートである。
【図３１】図２９のオーディオデコード部を示すブロック図である。
【図３２】第２の実施形態のオーディオエンコード部を示すブロック図である。
【図３３】第２の実施形態のオーディオデコード部を示すブロック図である。
【図３４】第３の実施形態のオーディオエンコード部を示すブロック図である。
【図３５】第３の実施形態のオーディオデコード部を示すブロック図である。
【図３６】オーディオ信号を伝送する場合のパッキング装置を示すブロック図である。
【図３７】図３６のパッキング装置のパッキング処理を示すフローチャートである。
【図３８】図３７のパック生成処理を詳しく示すフローチャートである。
【図３９】図３７のＡＴＳ生成処理を詳しく示すフローチャートである。
【図４０】図３６のパッキング装置の送信処理を示すフローチャートである。
【図４１】オーディオ信号を伝送する場合のアンパッキング装置を示すブロック図である。
【図４２】図４１のアンパッキング装置の受信処理を示すフローチャートである。
【図４３】図４１のアンパッキング装置のアンパッキング処理を示すフローチャートである。
【図４４】図４３のＡＴＳＩデコード処理を詳しく示すフローチャートである。
【図４５】図４３のパックデコード処理を詳しく示すフローチャートである。
【符号の説明】
１１３  操作部（モード選択手段）
１０６  ＤＶＤオーディオフォーマット化処理部（フォーマット化手段）
１１６  ＤＶＤオーディオデフォーマット化処理部
１１７  ダウンミキサ（ダウンミックス手段）
１３２  システムコントローラ
【図１】
0003632891.tif 000002
【図２】
0003632891.tif 000003
【図３】
0003632891.tif 000004
【図４】
0003632891.tif 000005
【図５】
0003632891.tif 000006
【図６】
0003632891.tif 000007
【図７】
0003632891.tif 000008
【図８】
0003632891.tif 000009
【図９】
0003632891.tif 000010
【図１０】
0003632891.tif 000011
【図１１】
0003632891.tif 000012
【図１２】
0003632891.tif 000013
【図１３】
0003632891.tif 000014
【図１４】
0003632891.tif 000015
【図１５】
0003632891.tif 000016
【図１６】
0003632891.tif 000017
【図１７】
0003632891.tif 000018
【図１８】
0003632891.tif 000019
【図１９】
0003632891.tif 000020
【図２０】
0003632891.tif 000021
【図２１】
0003632891.tif 000022
【図２２】
0003632891.tif 000023
【図２３】
0003632891.tif 000024
【図２４】
0003632891.tif 000025
【図２５】
0003632891.tif 000026
【図２６】
0003632891.tif 000027
【図２７】
0003632891.tif 000028
【図２８】
0003632891.tif 000029
【図２９】
0003632891.tif 000030
【図３０】
0003632891.tif 000031
【図３１】
0003632891.tif 000032
【図３２】
0003632891.tif 000033
【図３３】
0003632891.tif 000034
【図３４】
0003632891.tif 000035
【図３５】
0003632891.tif 000036
【図３６】
0003632891.tif 000037
【図３７】
0003632891.tif 000038
【図３８】
0003632891.tif 000039
【図３９】
0003632891.tif 000040
【図４０】
0003632891.tif 000041
【図４１】
0003632891.tif 000042
【図４２】
0003632891.tif 000043
【図４３】
0003632891.tif 000044
【図４４】
0003632891.tif 000045
【図４５】
0003632891.tif 000046